(57)【要約】【課題】表面傾斜壁部に釦スイッチ装置の押動釦部を配したタイプの遊技機において、遊技者が誤って飲料水を零した場合などであっても釦スイッチ装置の回路の誤作動、ショートや寿命の短縮を招かない釦スイッチ装置を提供すること。【解決手段】釦スイッチ装置２は、遊技者によって押下される押動釦部１４，１５，１６と押動釦部１４，１５，１６の押下によって動作するスイッチ部（マイクロスイッチ６、タクトスイッチ８、タクトスイッチ１０）とスイッチ部６，８，１０が電気的に接続された回路基板１１とを備える。押動釦部１４，１５，１６は、表面傾斜壁部（カバー部材２４）の開口部２５，２６，２７に配置される。押動釦部１４，１５，１６の押下方向は、表面傾斜壁部２４に対する垂直方向と一致する。押動釦部１４，１５，１６とスイッチ部６，８，１０との間に防水シート部材１８が配設される。【選択図】図２
2006191977.tif 000002
【特許請求の範囲】
【請求項１】
遊技機の前面枠に設けられる遊技機の釦スイッチ装置であって、遊技者によって押下される押動釦部と該押動釦部の押下によって動作するスイッチ部と該スイッチ部が電気的に接続された回路基板とを備え、前記押動釦部が表面壁部の開口部に配置される遊技機の釦スイッチ装置において、
前記押動釦部と前記スイッチ部との間に防水シート部材を傾斜した状態で配設したことを特徴とする遊技機の釦スイッチ装置。
【請求項２】
遊技機の前面枠に設けられる遊技機の釦スイッチ装置であって、遊技者によって押下される押動釦部と該押動釦部の押下によって動作するスイッチ部と該スイッチ部が電気的に接続された回路基板とを備え、前記押動釦部が、表面傾斜壁部の開口部に配置され、前記押動釦部の押下方向が前記表面傾斜壁部に対する垂直方向と一致する遊技機の釦スイッチ装置において、
前記押動釦部と前記スイッチ部との間に防水シート部材を配設したことを特徴とする遊技機の釦スイッチ装置。
【請求項３】
前記防水シート部材において前記押動釦部と当接する部位に、該押動釦部を初期位置に復帰させるための弾性突起部が形成されていることを特徴とする請求項１又は２に記載の遊技機の釦スイッチ装置。
【請求項４】
前記防水シート部材に、前記押動釦部と前記開口部との隙間から浸入した液体を外部へ排出するための液体誘導路が形成されていることを特徴とする請求項１〜３のいずれかに記載の遊技機の釦スイッチ装置。
【発明の詳細な説明】
【技術分野】
【０００１】
本発明は、遊技機の釦スイッチ装置、特に、遊技機の前面枠に設けられる釦スイッチ装置に関する。
【背景技術】
【０００２】
所謂CR機と称されるパチンコ遊技機は、プリペイドカードを利用して遊技球の貸出を行うパチンコ遊技機であり、具体的には、プリペイドカードをカード挿入口に挿入し、球貸出釦スイッチ装置の押動釦部を押下すると、賞球払出装置が作動し、一定量の遊技球が上皿（打球供給皿）に供給されるよう構成されている。そして、この種のパチンコ遊技機は、上皿の前面あるいは上皿近くの前面パネルに、球貸出釦スイッチ装置の押動釦部や、カード挿入口に挿入されているプリペイドカードをカード挿入口から抜き取る際に操作されるカード返却釦スイッチ装置の押動釦部など釦スイッチ装置の押動釦部を配置している（例えば、特許文献１，２，３，４参照）。
【０００３】
しかし、これらのパチンコ遊技機において、釦スイッチ装置の押動釦部は、略鉛直な上皿前面又は前面パネルから前方へ僅かに突出する程度に設けられているため、遊技中の遊技者にとって釦スイッチ装置の押動釦部の位置や種類を簡単には視認できない。
【０００４】
そこで、最近、釦スイッチ装置の押動釦部の位置や種類を容易に視認可能にすることなどを目的として、表面に傾斜壁部を形成し、この表面傾斜壁部の開口部に釦スイッチ装置の押動釦部を配置し、かつ、押動釦部の押下方向を表面傾斜壁部に対する垂直方向と一致するよう構成したパチンコ遊技機が提案されている。
【特許文献１】特開２０００−２４５９３３号公報（図１，２）
【特許文献２】特開２０００−１４９０４号公報（図１，３）
【特許文献３】特開２００２−１８６７７４号公報（図３，４）
【特許文献４】特開２００２−２２４３７７号公報（図１，２）
【発明の開示】
【発明が解決しようとする課題】
【０００５】
ところが、上記のような表面傾斜壁部に釦スイッチ装置の押動釦部を配したタイプのパチンコ遊技機に、新たな問題点が見出された。つまり、例えば、ホールにおいて、遊技者が遊技中に缶入り飲料水や紙コップに入れた飲料水を飲む機会があり、遊技者が誤って飲料水を零すと、飲料水が押動釦部と開口部との隙間から表面傾斜壁部の内部に浸入し、内部に配設されている、押動釦部の押下によって作動するスイッチ部、あるいは、スイッチ部が電気的に接続された回路基板が濡れ、回路の誤動作、ショートや寿命の短縮を招くおそれがあるという問題点が見出された。なお、このような問題点は、上述したような鉛直な上皿前面又は前面パネルに釦スイッチ装置の押動釦部が配されているタイプのパチンコ遊技機には発生していなかった。
【０００６】
本発明は、上記のような、表面傾斜壁部に釦スイッチ装置の押動釦部を配したタイプの遊技機に限定されるものではないが、上記のような問題点を解決し、遊技者が誤って飲料水を零した場合などであっても釦スイッチ装置の回路の誤作動、ショートや寿命の短縮を招かない釦スイッチ装置を提供することを目的とする。
【課題を解決するための手段】
【０００７】
本発明の遊技機の釦スイッチ装置は、遊技機の前面枠に設けられる遊技機の釦スイッチ装置であって、遊技者によって押下される押動釦部と該押動釦部の押下によって動作するスイッチ部と該スイッチ部が電気的に接続された回路基板とを備え、前記押動釦部が表面壁部の開口部に配置される遊技機の釦スイッチ装置において、前記押動釦部と前記スイッチ部との間に防水シート部材を傾斜した状態で配設したことを特徴とする。
【０００８】
本発明の釦スイッチ装置によると、遊技者が誤って零した飲料水などが釦スイッチ装置の押動釦部と開口部との隙間から表面壁部の内部に浸入しても、この浸入した飲料水などは防水シート部材まで到達すると、傾斜状態の防水シート部材を伝わって流下するようになる。このため、浸入した飲料水によってスイッチ部及び回路基板が濡れることを防止することができ、飲料水などによる釦スイッチ装置の回路の誤作動、ショートや寿命の短縮を防止することができる。
【０００９】
また、本発明の遊技機の釦スイッチ装置は、遊技機の前面枠に設けられる遊技機の釦スイッチ装置であって、遊技者によって押下される押動釦部と該押動釦部の押下によって動作するスイッチ部と該スイッチ部が電気的に接続された回路基板とを備え、前記押動釦部が、表面傾斜壁部の開口部に配置され、前記押動釦部の押下方向が前記表面傾斜壁部に対する垂直方向と一致する遊技機の釦スイッチ装置において、前記押動釦部と前記スイッチ部との間に防水シート部材を配設したことを特徴とする。
【００１０】
本発明の釦スイッチ装置によると、遊技者が誤って零した飲料水などが釦スイッチ装置の押動釦部と開口部との隙間から表面傾斜壁部の内部に浸入しても、この浸入した飲料水などは防水シート部材によって阻止されるようになる。このため、浸入した飲料水によってスイッチ部及び回路基板が濡れることはなく、したがって、飲料水などによる釦スイッチ装置の回路の誤作動、ショートや寿命の短縮を防止することができる。
【００１１】
ここで、前記防水シート部材において前記押動釦部と当接する部位に、該押動釦部を初期位置に復帰させるための弾性突起部を形成すると、押動釦部を初期位置に復帰させる部材として通常使用されるばね等の弾性部材を弾性突起部が補助することとなり、あるいは、既存の弾性部材の代替部材として弾性突起部を利用することにより部品点数の減少を図ることが可能となる。
【００１２】
また、前記防水シート部材に、前記押動釦部と前記開口部との隙間から浸入した液体を外部へ排出するための液体誘導路を形成すると、浸入した液体を良好に外部へ排出できるようになる。
【発明を実施するための最良の形態】
【００１３】
以下、本発明の実施形態を図面に基づいて説明する。
【００１４】
図１は、本発明の一実施形態に係る釦スイッチ装置が組み込まれたパチンコ遊技機の正面図、図２は、同釦スイッチ装置の分解斜視図、図３は、カバー部材を取外した釦スイッチ装置の正面図、図４は、同釦スイッチ装置の要部の概念的分解断面図であって、図３図示IV-IV線による断面図をそれぞれ示す。
【００１５】
図１において、パチンコ遊技機は、前面枠１の下部に釦スイッチ装置２を備える。
【００１６】
釦スイッチ装置２は、図２及び図３に示すように、ベース部材３を備える。このベース部材３は、前面枠１にねじ止めされる。ベース部材３の表面に枠体４がねじ止めされる。枠体４は、球抜き釦スイッチ装置５のマイクロスイッチ（スイッチ部）６、球貸出釦スイッチ装置７のLED内蔵タクトスイッチ（スイッチ部）８及びカード返却釦スイッチ装置９のタクトスイッチ（スイッチ部）１０が実装された回路基板１１の表面にねじ止めされている。枠体４は、球抜き釦スイッチ装置５のマイクロスイッチ６を動作可能な球抜き用板ばね部１２と、カード返却釦スイッチ装置９のタクトスイッチ１０を動作可能なカード返却用板ばね部１３を有している。回路基板１１は、前下がりに傾斜した状態で固定される。
【００１７】
枠体４の表面に、上記各釦スイッチ装置５，７，９の押動釦部１４，１５，１６を保持する釦保持プレート１７がねじ止めされる。釦保持プレート１７の裏面に防水シート部材１８がねじ止めされ、防水シート部材１８と釦保持プレート１７との間に球抜き釦スイッチ装置５の押動釦部１４が収容される。釦保持プレート１７の表面に前プレート１９がねじ止めされ、前プレート１９と釦保持プレート１７との間に球貸出釦スイッチ装置７及びカード返却釦スイッチ装置９の各押動釦部１５，１６が収容される。
【００１８】
球抜き釦スイッチ装置５の押動釦部１４は、防水シート部材１８を介して枠体４の球抜き用板ばね部１２と当接可能に配され、また、球貸出釦スイッチ装置７の押動釦部１５は、防水シート部材１８を介して回路基板１１の球貸出釦スイッチ装置７のタクトスイッチ８を動作可能に配され、また、カード返却釦スイッチ装置９の押動釦部１６は、防水シート部材１８を介して枠体４の返却用板ばね部１３と当接可能に配される。
【００１９】
防水シート部材１８は、薄板状の合成樹脂材例えばポリカーボネートからなり、枠体４の表面を覆うように配される。図４に示すように、防水シート部材１８において、球抜き釦スイッチ装置５、球貸出釦スイッチ装置７及びカード返却釦スイッチ装置９の各押動釦部１４，１５，１６と対向する部位には、弾性突起部（弾性部）２０，２１，２２が形成されている。各弾性突起部２０，２１，２２は、対応する押動釦部１４，１５，１６が押下されたとき、弾性変形し、押下が解除されたとき、弾性復帰して押動釦部１４，１５，１６を初期位置に戻す作用をする。
【００２０】
また、防水シート部材１８の縁に表面側に折れ曲がった壁部２３が形成されている。この壁部２３は、内部に浸入した液体を外部に排出するための液体誘導路を構成する。
【００２１】
ベース部材１８の表面に、カバー部材（表面傾斜壁部）２４がねじ止めされる。カバー部材２４は、開口部２５，２６，２７を有し、これらの開口部２５，２６，２７から、球抜き釦スイッチ装置５、球貸出釦スイッチ装置７及びカード返却釦スイッチ装置９の各押動釦部１４，１５，１６の頭部が各々突出し、遊技者が各押動釦部１４，１５，１６を押下することができる。ここで、押動釦部１４，１５，１６の押下方向は、カバー部材２４に対する垂直方向と一致している。なお、釦スイッチ装置２には、その他、遊技者がリーチ演出を選択するために操作するチャンス釦スイッチ装置２８などが配設される。
【００２２】
上記のように構成される釦スイッチ装置２が組み込まれたパチンコ遊技機において、遊技者が球抜き釦スイッチ装置５の押動釦部１４を押下すると、押動釦部１４の押下によって防水シート部材１８の弾性突起部２０が弾性変形するとともに、防水シート部材１８を介して球抜き用板ばね部１２が弾性変形し、マイクロスイッチ６を動作させマイクロスイッチ６がオンする。その後、遊技者が押動釦部１４への押下を解除すると、球抜き用板ばね部１２及び弾性突起部２０がそれぞれ弾性復帰し、マイクロスイッチ６がオフするとともに押動釦部１４が初期位置に戻る。
【００２３】
また、遊技者が球貸出釦スイッチ装置７の押動釦部１５を押下すると、押動釦部１５の押下によって防水シート部材１８の弾性突起部２１が弾性変形し、タクトスイッチ８を動作させタクトスイッチ８がオンする。その後、遊技者が押動釦部１５への押下を解除すると、弾性突起部２１が弾性復帰し、タクトスイッチ８がオフするとともに押動釦部１５が初期位置に戻る。
【００２４】
また、遊技者がカード返却釦スイッチ装置９の押動釦部１６を押下すると、押動釦部１６の押下によって防水シート部材１８の弾性突起部２２が弾性変形するとともに、防水シート部材１８を介してカード返却用板ばね部１３が弾性変形し、タクトスイッチ１０を動作させタクトスイッチ１０がオンする。その後、遊技者が押動釦部１６への押下を解除すると、カード返却用板ばね部１３及び弾性突起部２２がそれぞれ弾性復帰し、タクトスイッチ１０がオフするとともに押動釦部１６が初期位置に戻る。
【００２５】
各押動釦部１４，１５，１６と、対応する開口部２５，２６，２７との間には、遊びをもたせるために隙間が形成されており、この隙間から飲料水などが浸入した場合、浸入した飲料水などは防水シート部材１８により、マイクロスイッチ６、タクトスイッチ８、タクトスイッチ１０及び回路基板１１側への侵入が阻止されるようになる。このため、浸入した飲料水などによってマイクロスイッチ６、タクトスイッチ８、タクトスイッチ１０及び回路基板１１が濡れることはない。また、浸入した飲料水などは、防水シート部材１８の壁部２３を伝わって外部に排出される。
【００２６】
以上説明したように、本実施形態の遊技機の釦スイッチ装置２は、遊技機の前面枠１に設けられる遊技機の釦スイッチ装置２であって、遊技者によって押下される押動釦部１４，１５，１６と押動釦部１４，１５，１６の押下によって動作するスイッチ部（マイクロスイッチ６、タクトスイッチ８、タクトスイッチ１０）とスイッチ部６，８，１０が電気的に接続された回路基板１１とを備え、押動釦部１４，１５，１６が、表面傾斜壁部（カバー部材２４）の開口部２５，２６，２７に配置され、押動釦部１４，１５，１６の押下方向が表面傾斜壁部２４に対する垂直方向と一致する遊技機の釦スイッチ装置２において、押動釦部１４，１５，１６とスイッチ部６，８，１０との間に防水シート部材１８を配設している。
【００２７】
このため、遊技者が誤って零した飲料水などが釦スイッチ装置２の押動釦部１４，１５，１６と開口部２５，２６，２７との隙間から表面傾斜壁部２４の内部に浸入しても、この浸入した飲料水などは防水シート部材１８によって阻止されるようになる。このため、浸入した飲料水によってスイッチ部６，８，１０及び回路基板１１が濡れることはなく、したがって、飲料水などによる釦スイッチ装置２の回路の誤作動、ショートや寿命の短縮を防止することができる。
【００２８】
また、防水シート部材１８において押動釦部１４，１５，１６と当接する部位に、押動釦部１４，１５，１６を初期位置に復帰させるための弾性突起部２０を形成したため、押動釦部１４，１５，１６を初期位置に復帰させる部材として通常使用されるばね等の弾性部材を弾性突起部２０が補助することとなり、あるいは、既存の弾性部材の代替部材として弾性突起部２０を利用することにより部品点数の減少を図ることが可能となる。
【００２９】
また、防水シート部材１８に、押動釦部１４，１５，１６と開口部２５，２６，２７との隙間から浸入した液体を外部へ排出するための液体誘導路（壁部２３）を形成したため、浸入した液体を良好に外部へ排出できるようになる。ここで、液体誘導路２３は、上記のような壁部２３の他に、凸条部によって構成するようにしてもよいし、あるいは、溝部によって構成するようにしてもよい。
【００３０】
なお、上記実施形態では、押動釦部１４，１５，１６の配置箇所を表面傾斜壁部２４の開口部２５，２６，２７としたが、本発明はこの配置箇所のみに限定されるものではない。つまり、本発明は、押動釦部１４，１５，１６の配置箇所を傾斜していない水平な表面壁部の開口部に設定した場合にも適用可能であり、このように配置箇所を設定した場合、少なくとも防水シート部材１８を傾斜した状態で配置するようにすれば、浸入した飲料水は傾斜状態の防水シート部材１８を伝わって流下するようになり、回路基板１１等の濡れを防止することが可能となる。
【図面の簡単な説明】
【００３１】
【図１】本発明の一実施形態に係る釦スイッチ装置が組み込まれたパチンコ遊技機の正面図である。
【図２】同釦スイッチ装置の分解斜視図である。
【図３】カバー部材を取外した釦スイッチ装置の正面図である。
【図４】同釦スイッチ装置の要部の概念的分解断面図であって、図３図示IV-IV線による断面図である。
【符号の説明】
【００３２】
２    釦スイッチ装置
６    マイクロスイッチ（スイッチ部）
８    タクトスイッチ（スイッチ部）
１０    タクトスイッチ（スイッチ部）
１１    回路基板
１４，１５，１６    押動釦部
１８    防水シート部材
２０    弾性突起部
２３    壁部（液体誘導路）
２４    カバー部材（表面傾斜壁部）
２５，２６，２７    開口部
【図１】
2006191977.tif 000003
【図２】
2006191977.tif 000004
【図３】
2006191977.tif 000005
【図４】
2006191977.tif 000006